(57)【要約】【課題】ＩＥＥＥ１３９４シリアルバスに接続されるディジタル録画装置において、ＤＶカメラの種類に係らず、ＤＶカメラが再生状態から停止状態又は巻戻し状態に移行したときに、ＤＶテープの再生が中断されたか、ＤＶテープからのダビングが終了したかをユーザに知らせることを可能にして、ＤＶテープからのダビング漏れを防ぐ。【解決手段】ＤＶカメラが再生状態から巻戻し状態に移ったと検知されたときに（Ｓ５でＹＥＳ）、ＤＶテープを再生終了位置まで戻した上で（Ｓ７）、ＤＶカメラに再生コマンドを送信して（Ｓ８）、ＤＶテープの再生が中断されたか否かを判定する（Ｓ９乃至Ｓ１１）。これにより、ＤＶカメラが、ＤＶテープの最後の位置まで再生すると、再生状態から巻戻し状態に移行する種類のものである場合にも、ＤＶテープの再生が中断されたか、ＤＶテープからのダビングが終了したかを正確に判断してユーザに通知することができる。【選択図】図２
2006173952.tif 000002
【特許請求の範囲】
【請求項１】
ＩＥＥＥ１３９４シリアルバスを介してＤＶ(Digital Video)カメラと接続され、
前記ＤＶカメラにセットされたＤＶテープからのＤＶストリームのダビング時に、前記ＤＶカメラから送信されたＤＶストリームに含まれるタイムコードを取得するタイムコード取得手段と、
前記ＤＶテープからのＤＶストリームのダビング開始後における前記ＤＶカメラの状態を検知するＤＶカメラ状態検知手段と、
前記ＤＶカメラ状態検知手段により前記ＤＶカメラが再生状態から停止状態に移ったと検知されたときに、前記ＤＶカメラに再生コマンドを送信して、前記ＤＶカメラからのレスポンスに基いて前記再生コマンドの実行結果を判定する判定手段と、
前記判定手段による判定の結果、再生コマンドの実行が成功したと判定されたときに、前記ＤＶテープの再生が中断されたと判断し、前記判定手段による判定の結果、再生コマンドの実行が失敗したと判定されたときに、前記ＤＶテープからのＤＶストリームのダビングが終了したと判断する判断手段と、
前記判断手段による判断結果をユーザに通知する通知手段とを備えたハードディスクレコーダにおいて、
前記ＤＶカメラ状態検知手段により前記ＤＶカメラが再生状態から巻戻し状態に移ったと検知されたときに、前記タイムコード取得手段により取得した再生終了位置のタイムコードを記憶する再生終了位置タイムコード記憶手段と、
前記ＤＶカメラ状態検知手段により前記ＤＶカメラが再生状態から巻戻し状態に移ったと検知されたときに、前記ＤＶカメラに停止コマンドを送信する停止コマンド送信手段と、
前記ＤＶカメラ状態検知手段により前記ＤＶカメラが再生状態から巻戻し状態に移ったと検知された後も、前記タイムコード取得手段によるタイムコードの取得を継続して、前記停止コマンド送信手段により停止コマンドが送信された結果、前記ＤＶカメラが停止したときに、停止の直前におけるタイムコードと、前記再生終了位置タイムコード記憶手段に記憶された再生終了位置のタイムコードとを比較するタイムコード比較手段と、
前記タイムコード比較手段による比較の結果、前記停止の直前におけるタイムコードと、前記再生終了位置のタイムコードとが一致しない場合に、前記タイムコード取得手段により取得される最新のタイムコードが前記再生終了位置のタイムコードと等しくなるまで、前記ＤＶテープを該ＤＶテープの終端方向に送るように前記ＤＶカメラを制御するテープ送り制御手段とをさらに備え、
前記ＤＶカメラ状態検知手段により前記ＤＶカメラが再生状態から巻戻し状態に移ったと検知されたときに、前記再生終了位置タイムコード記憶手段によるタイムコード記憶処理と、前記停止コマンド送信手段による停止コマンド送信処理と、前記タイムコード比較手段による比較処理と、前記テープ送り手段によるテープ送り処理とを行った後に、前記判定手段による判定処理と、前記判断手段による判断処理と、前記通知手段による通知処理とを行うようにしたことを特徴とするＩＥＥＥ１３９４シリアルバスに接続されるハードディスクレコーダ。
【請求項２】
ＩＥＥＥ１３９４シリアルバスを介してＤＶ(Digital Video)カメラと接続され、
前記ＤＶカメラから送信されたＤＶストリームに含まれるタイムコードを取得するタイムコード取得手段と、
前記ＤＶカメラにセットされたＤＶテープからのＤＶストリームのダビング開始後における前記ＤＶカメラの状態を検知するＤＶカメラ状態検知手段と、
前記ＤＶカメラ状態検知手段により前記ＤＶカメラが再生状態から停止状態に移ったと検知されたときに、前記ＤＶカメラに再生コマンドを送信して、前記ＤＶカメラからのレスポンスに基いて前記再生コマンドの実行結果を判定する判定手段と、
前記判定手段による判定の結果、再生コマンドの実行が成功したと判定されたときに、前記ＤＶテープの再生が中断されたと判断し、前記判定手段による判定の結果、再生コマンドの実行が失敗したと判定されたときに、前記ＤＶテープからのＤＶストリームのダビングが終了したと判断する判断手段とを備えたディジタル録画装置において、
前記ＤＶカメラ状態検知手段により前記ＤＶカメラが再生状態から巻戻し状態に移ったと検知されたときに、前記ＤＶカメラに停止コマンドを送信する停止コマンド送信手段と、
前記停止コマンド送信手段により停止コマンドが送信された結果、前記ＤＶカメラが停止したときに、停止時における前記ＤＶテープの再生位置が、前記ＤＶカメラが再生状態から巻戻し状態に移った瞬間の再生位置（再生終了位置）と一致しない場合に、前記ＤＶテープの再生位置が前記再生終了位置と等しくなるまで、前記ＤＶテープを該ＤＶテープの終端方向に送るように前記ＤＶカメラを制御するテープ送り制御手段とをさらに備え、
前記ＤＶカメラ状態検知手段により前記ＤＶカメラが再生状態から巻戻し状態に移ったと検知されたときに、前記停止コマンド送信手段による停止コマンド送信処理と、前記テープ送り制御手段によるテープ送り制御処理とを行った後に、前記判定手段による判定処理と、前記判断手段による判断処理とを行うようにしたことを特徴とするＩＥＥＥ１３９４シリアルバスに接続されるディジタル録画装置。
【請求項３】
前記ＤＶカメラ状態検知手段により前記ＤＶカメラが再生状態から停止状態又は巻戻し状態に移ったと検知されたときに、前記ＤＶテープからのＤＶストリームの録画処理を一時停止させる一時停止手段と、
前記判断手段により前記ＤＶテープの再生が中断されたと判断されたときに、前記ＤＶテープからのＤＶストリームの録画処理を継続するか否かをユーザに確認するための確認手段と、
前記確認手段による確認の結果、ユーザが録画処理を継続するように指示したときに、前記一時停止手段により行われた録画処理の一時停止を解除する一時停止解除手段とをさらに備えたことを特徴とする請求項２に記載のＩＥＥＥ１３９４シリアルバスに接続されるディジタル録画装置。
【発明の詳細な説明】
【技術分野】
【０００１】
本発明は、ＩＥＥＥ１３９４シリアルバスを介してＤＶ(Digital Video)カメラと接続可能で、ＤＶカメラから送信されたＤＶストリームの録画が可能な、ＨＤＤ（hard disc drive）レコーダ、ＤＶＤ(Digital Versatile Disc)レコーダ、ディジタルＶＴＲ（Video Tape Recorder）等のディジタル録画装置に関する。
【背景技術】
【０００２】
従来、ＤＶ(Digital Video)カメラと、ＨＤＤ（hard disc drive）レコーダ等のディジタル録画装置とをＩＥＥＥ１３９４シリアルバスを介して接続して、ＤＶカメラ側のＤＶテープ中の任意の位置から、ＤＶテープの最後の位置（ＤＶテープにおける記録可能部分の終端）までに含まれるＤＶストリームを、ディジタル録画装置側の記録媒体に録画（ダビング）する場合に、一般のＤＶカメラは、ＤＶテープの最後の位置まで再生すると、再生状態から停止状態に移行する。そして、ディジタル録画装置は、ＤＶカメラが再生状態から停止状態に移行すると、ＤＶテープの最後の位置まで再生されたと判断して、録画処理を終了する。しかし、ＤＶカメラが停止した原因が、ＤＶテープが最後の位置まで再生されたことに伴うものでない場合（再生が中断された場合）には、ユーザは、停止された時点におけるＤＶテープの再生位置（停止位置）からＤＶテープの最後の位置までに記録されたＤＶストリームを追加して録画する必要がある。従って、ディジタル録画装置は、ＤＶカメラが再生状態から停止状態に移行したときに、停止状態への移行が、ＤＶテープの再生が中断されたことによる場合には、その旨をユーザに通知して、上記の停止位置以降に録画されたＤＶストリームを追加して録画するように促す必要がある。また、停止状態への移行が、ＤＶテープが最後の位置まで再生されたことに伴うものである場合でも、ユーザにＤＶテープからのＤＶストリームのダビングが終了したことを知らせることが望ましい。
【０００３】
そこで、この種のディジタル録画装置において、ＤＶカメラが再生状態から停止状態に移行したときに限り、ＤＶカメラに対して再生コマンドを送信して、再生コマンドの実行が成功したときに、ＤＶテープの再生が中断されたと判断して、その旨をユーザに通知し、再生コマンドの実行が失敗したときに、ＤＶテープからのＤＶストリームのダビングが終了したと判断して、その旨をユーザに通知するようにしたものがある。
【０００４】
ところが、ＤＶカメラの中には、ＤＶテープの最後の位置まで再生すると、再生状態から巻戻し状態に移行するものがある。上記のようなディジタル録画装置では、このようなＤＶカメラに対応することができない。すなわち、上記のようなディジタル録画装置では、ＤＶカメラが再生状態から巻戻し状態に移行したときに、ＤＶテープの再生が中断されたか、ＤＶテープからのＤＶストリームのダビングが終了したかをユーザに知らせることができない。
【０００５】
ところで、ビデオテープレコーダの分野において、テープのブランク部を検出するために、ＲＦ信号がなくなると反転走行させて、頭出し信号を検出後、再度再生方向に反転させて、無音部を検出するようにしたものが知られている（特許文献１参照）。けれども、特許文献１に記載された発明では、上記の問題を解決することはできない。
【特許文献１】実開昭６３−４９６２４号公報
【発明の開示】
【発明が解決しようとする課題】
【０００６】
本発明は、上記の問題を解決するためになされたものであり、ＤＶカメラの種類に係らず、ＤＶカメラが再生状態から停止状態又は巻戻し状態に移行したときに、ＤＶテープの再生が中断されたか、ＤＶテープからのＤＶストリームのダビングが終了したかをユーザに知らせることができるようにして、ＤＶテープからのＤＶストリームのダビング漏れを防ぐことが可能なＩＥＥＥ１３９４シリアルバスに接続されるハードディスクレコーダ及びディジタル録画装置を提供することを目的とする。
【課題を解決するための手段】
【０００７】
上記目的を達成するために請求項１の発明は、ＩＥＥＥ１３９４シリアルバスを介してＤＶ(Digital Video)カメラと接続され、前記ＤＶカメラにセットされたＤＶテープからのＤＶストリームのダビング時に、前記ＤＶカメラから送信されたＤＶストリームに含まれるタイムコードを取得するタイムコード取得手段と、前記ＤＶテープからのＤＶストリームのダビング開始後における前記ＤＶカメラの状態を検知するＤＶカメラ状態検知手段と、前記ＤＶカメラ状態検知手段により前記ＤＶカメラが再生状態から停止状態に移ったと検知されたときに、前記ＤＶカメラに再生コマンドを送信して、前記ＤＶカメラからのレスポンスに基いて前記再生コマンドの実行結果を判定する判定手段と、前記判定手段による判定の結果、再生コマンドの実行が成功したときに、前記ＤＶテープの再生が中断されたと判断し、前記判定手段による判定の結果、再生コマンドの実行が失敗したときに、前記ＤＶテープからのＤＶストリームのダビングが終了したと判断する判断手段と、前記判断手段による判断結果をユーザに通知する通知手段とを備えたハードディスクレコーダにおいて、前記ＤＶカメラ状態検知手段により前記ＤＶカメラが再生状態から巻戻し状態に移ったと検知されたときに、前記タイムコード取得手段により取得した再生終了位置のタイムコードを記憶する再生終了位置タイムコード記憶手段と、前記ＤＶカメラ状態検知手段により前記ＤＶカメラが再生状態から巻戻し状態に移ったと検知されたときに、前記ＤＶカメラに停止コマンドを送信する停止コマンド送信手段と、前記ＤＶカメラ状態検知手段により前記ＤＶカメラが再生状態から巻戻し状態に移ったと検知された後も、前記タイムコード取得手段によるタイムコードの取得を継続して、前記停止コマンド送信手段により停止コマンドが送信された結果、前記ＤＶカメラが停止したときに、停止の直前におけるタイムコードと、前記再生終了位置タイムコード記憶手段に記憶された再生終了位置のタイムコードとを比較するタイムコード比較手段と、前記タイムコード比較手段による比較の結果、前記停止の直前におけるタイムコードと、前記再生終了位置のタイムコードとが一致しない場合に、前記タイムコード取得手段により取得される最新のタイムコードが前記再生終了位置のタイムコードと等しくなるまで、前記ＤＶテープを該ＤＶテープの終端方向に送るように前記ＤＶカメラを制御するテープ送り制御手段とをさらに備え、前記ＤＶカメラ状態検知手段により前記ＤＶカメラが再生状態から巻戻し状態に移ったと検知されたときに、前記再生終了位置タイムコード記憶手段によるタイムコード記憶処理と、前記停止コマンド送信手段による停止コマンド送信処理と、前記タイムコード比較手段による比較処理と、前記テープ送り制御手段によるテープ送り制御処理とを行った後に、前記判定手段による判定処理と、前記判断手段による判断処理と、前記通知手段による通知処理とを行うようにしたものである。
【０００８】
請求項２の発明は、ＩＥＥＥ１３９４シリアルバスを介してＤＶ(Digital Video)カメラと接続され、前記ＤＶカメラから送信されたＤＶストリームに含まれるタイムコードを取得するタイムコード取得手段と、前記ＤＶカメラにセットされたＤＶテープからのＤＶストリームのダビング開始後における前記ＤＶカメラの状態を検知するＤＶカメラ状態検知手段と、前記ＤＶカメラ状態検知手段により前記ＤＶカメラが再生状態から停止状態に移ったと検知されたときに、前記ＤＶカメラに再生コマンドを送信して、前記ＤＶカメラからのレスポンスに基いて前記再生コマンドの実行結果を判定する判定手段と、前記判定手段による判定の結果、再生コマンドの実行が成功したときに、前記ＤＶテープの再生が中断されたと判断し、前記判定手段による判定の結果、再生コマンドの実行が失敗したときに、前記ＤＶテープからのＤＶストリームのダビングが終了したと判断する判断手段とを備えたディジタル録画装置において、前記ＤＶカメラ状態検知手段により前記ＤＶカメラが再生状態から巻戻し状態に移ったと検知されたときに、前記ＤＶカメラに停止コマンドを送信する停止コマンド送信手段と、前記停止コマンド送信手段により停止コマンドが送信された結果、前記ＤＶカメラが停止したときに、停止時における前記ＤＶテープの再生位置が、前記ＤＶカメラが再生状態から巻戻し状態に移った瞬間の再生位置（再生終了位置）と一致しない場合に、前記ＤＶテープの再生位置が前記再生終了位置と等しくなるまで、前記ＤＶテープを該ＤＶテープの終端方向に送るように前記ＤＶカメラを制御するテープ送り制御手段とをさらに備え、前記ＤＶカメラ状態検知手段により前記ＤＶカメラが再生状態から巻戻し状態に移ったと検知されたときに、前記停止コマンド送信手段による停止コマンド送信処理と、前記テープ送り制御手段によるテープ送り制御処理とを行った後に、前記判定手段による判定処理と、前記判断手段による判断処理とを行うようにしたものである。
【０００９】
請求項３の発明は、請求項２に記載のＩＥＥＥ１３９４シリアルバスに接続されるディジタル録画装置において、前記ＤＶカメラ状態検知手段により前記ＤＶカメラが再生状態から停止状態又は巻戻し状態に移ったと検知されたときに、前記ＤＶテープからのＤＶストリームの録画処理を一時停止させる一時停止手段と、前記判断手段により前記ＤＶテープの再生が中断されたと判断されたときに、前記ＤＶテープからのＤＶストリームの録画処理を継続するか否かをユーザに確認するための確認手段と、前記確認手段による確認の結果、ユーザが録画処理を継続するように指示したときに、前記一時停止手段により行われた録画処理の一時停止を解除する一時停止解除手段とをさらに備えたものである。
【発明の効果】
【００１０】
請求項１の発明によれば、ＤＶカメラが再生状態から巻戻し状態に移ったと検知されたときに、ＤＶテープを再生終了位置まで戻した上で、ＤＶテープの再生が中断されたか、ＤＶテープからのＤＶストリームのダビングが終了したかを判定するようにした。これにより、ＤＶカメラが、ＤＶテープの最後の位置まで再生すると、再生状態から停止状態に移行する種類のものである場合にも、ＤＶカメラが、ＤＶテープの最後の位置まで再生すると、再生状態から巻戻し状態に移行する種類のものである場合にも、ＤＶカメラが再生状態から停止状態又は巻戻し状態に移行したときに、ＤＶテープの再生が中断されたか、ＤＶテープからのＤＶストリームのダビングが終了したかを正確に判断して、その判断結果をユーザに通知することができる。従って、ＤＶテープからのＤＶストリームのダビング漏れを確実に防ぐことができる。
【００１１】
請求項２の発明によれば、ＤＶカメラが再生状態から巻戻し状態に移ったと検知されたときに、ＤＶテープを再生終了位置まで戻した上で、ＤＶテープの再生が中断されたか、ＤＶテープからのＤＶストリームのダビングが終了したかを判定するようにした。これにより、ＤＶカメラが、ＤＶテープの最後の位置まで再生すると、再生状態から停止状態に移行する種類のものである場合にも、ＤＶカメラが、ＤＶテープの最後の位置まで再生すると、再生状態から巻戻し状態に移行する種類のものである場合にも、ＤＶカメラが再生状態から停止状態又は巻戻し状態に移行したときに、ＤＶテープの再生が中断されたか、ＤＶテープからのＤＶストリームのダビングが終了したかを正確に判断することができる。従って、この判断結果をユーザに通知することで、ＤＶテープからのＤＶストリームのダビング漏れを確実に防ぐことができる。
【００１２】
請求項３の発明によれば、ＤＶテープの再生が中断されたと判断されたときに、ＤＶテープからのＤＶストリームの録画処理を継続するか否かをユーザに確認して、確認の結果、ユーザが録画処理を継続するように指示したときに、録画処理の一時停止を解除するようにした。これにより、ＤＶテープからのＤＶストリームのダビング漏れをより確実に防ぐことができる。
【発明を実施するための最良の形態】
【００１３】
本発明を実施するための最良の形態について図面を参照して説明する。本発明は、ＩＥＥＥ１３９４シリアルバスを介してＤＶ(Digital Video)カメラと接続可能なディジタル録画装置に関するものである。以下の実施形態では、本発明をハードディスクレコーダ（以下、ＨＤＤレコーダという）に適用した場合の例について説明する。なお、以下に記載した実施形態は、本発明を網羅するものではなく、本発明は、下記の形態だけに限定されない。
【００１４】
図１は、第１の実施形態によるＨＤＤレコーダと、このＨＤＤレコーダとＩＥＥＥ１３９４シリアルバスを介して接続可能なＤＶカメラの電気的ブロック構成を示す。このＨＤＤレコーダ１は、ＩＥＥＥ１３９４シリアルバス４（以下、バスと略す）を介して、ＤＶカメラ２と接続されており、ＤＶカメラ２から受信したＤＶストリームをハードディスク１５に録画することができる。ＨＤＤレコーダ１は、装置の各部を制御するためのマイクロプロセッサ１０（タイムコード取得手段、ＤＶカメラ状態検知手段、判定手段、判断手段、通知手段、停止コマンド送信手段、タイムコード比較手段、テープ送り制御手段）を備えている。また、ＨＤＤレコーダ１は、各種の確認画面やメニューを表示するための表示部１１と、マイクロプロセッサ１０の制御用のプログラムを格納するＲＯＭ１７と、各種の作業用データ等を記憶するためのＲＡＭ１８（再生終了位置タイムコード記憶手段）と、バス４を介してＤＶカメラ２等の外部入出力機器との間で制御コマンドやストリームデータ等のデータの送受信を行うためのＩＥＥＥ１３９４インタフェース１３（以下、インタフェースと略す；ＤＶカメラ状態検知手段、停止コマンド送信手段）とを有している。上記のＲＯＭ１７に格納される制御用のプログラムには、ＤＶテープ４３の再生が中断されたか否かを判断するための処理を記述した命令コードからなる再生中断判定ＰＧ２８が含まれている。また、上記のＲＡＭ１８には、上記の再生中断判定ＰＧ２８が作成した作業用データの一種である再生終了位置タイムコード２９が格納されている。さらにまた、ＨＤＤレコーダ１は、記録媒体である複数枚のハードディスク１５と、これらのハードディスク１５に対してデータの記録・読取を行う複数の磁気ヘッド１６と、磁気ヘッド１６を駆動するヘッド駆動部１４と、記録するデータ又は読み出したデータを一時的に保存するバッファメモリ１２とを備えている。また、ＨＤＤレコーダ１は、リモコン２０から送信された赤外線信号を受信する赤外線信号受信部１９を有している。
【００１５】
上記のリモコン２０は、各種のキーからなるキー部２４と赤外線信号発信部２１とを有している。キー部２４には、電源キー２３、数字入力用のキー２５、カーソルキー２６、確定キー２７に加えて、各種メニューの表示を指示するためのメニューキー２２が配設されている。
【００１６】
また、上記のＤＶカメラ２は、ＶＴＲ一体型のＤＶカメラであり、バス４を介してＨＤＤレコーダ１等との間で制御用コマンドやストリームデータの送受信を行うためのＩＥＥＥ１３９４インタフェース３７（以下、インタフェースと略す）と、撮像した被写体像をアナログ信号の形で出力するＣＣＤ（Charge Coupled Device）３１と、ＣＣＤ３１から出力されたアナログ信号をディジタル信号に変換するＡ／Ｄ変換部３２と、Ａ／Ｄ変換部３２から送られた画像データを一時的に蓄積する画像メモリ３３と、画像メモリ３３に蓄積された画像データに対して各種の画像処理を施すマイクロプロセッサ３４と、フォーマット変換回路３５と、記録再生部３６とを備えている。フォーマット変換回路３５は、マイクロプロセッサ３４による処理後の画像データのＤＶストリームへのフォーマット変換を行う。記録再生部３６は、フォーマット変換回路３５から出力されたＤＶストリームのＤＶテープへの書き込みや、ＤＶテープに記録されたＤＶストリームの再生等を行う。また、ＤＶカメラ２は、マイクロプロセッサ３４から送られた画像を表示する液晶モニタ３８と、操作部３９と、各種の制御プログラム等のデータを記憶するＲＯＭ４０と、各種の作業用データ等を記憶するＲＡＭ４１と、ＤＶテープの始端及び終端を検出するための始端終端検出センサ４２とを備えている。
【００１７】
次に、図２のフローチャートを参照して、上記のＤＶカメラ２にセットされたＤＶテープ４３からのＤＶストリームのダビング時に、ＨＤＤレコーダ１側で行われる、ＤＶテープ４３の再生が中断されたか否かの判定処理について説明する。この判定処理は、図１中の再生中断判定ＰＧ２８の処理内容を記述したものである。ＤＶテープ４３からハードディスク１５へのＤＶストリームのダビングが開始されると、ＨＤＤレコーダ１側のマイクロプロセッサ１０は、ＤＶカメラ２より送信されたＤＶストリームからタイムコードを取得すると共に、ＤＶカメラ２に対して状態問合せ用のコマンドを送信して（Ｓ１）、ＤＶカメラ２から送信されたレスポンスの内容に基きＤＶカメラの状態を検知する（Ｓ２）。そして、ＤＶカメラ２が再生状態から他の状態に移ったと検知すると（Ｓ２でＮＯ）、ＨＤＤレコーダ１側のマイクロプロセッサ１０は、再生状態から他の状態に移る直前のタイムコード（再生終了位置のタイムコード）を再生終了位置タイムコード２９としてＲＡＭ１８に記憶する（Ｓ３）。
【００１８】
次に、上記Ｓ１における状態問合せの結果、ＤＶカメラ２が巻戻し状態に移ったと検知されたときは（Ｓ４でＮＯ、Ｓ５でＹＥＳ）、ＨＤＤレコーダ１側のマイクロプロセッサ１０は、ＤＶカメラ２に停止コマンドを送信すると共に（Ｓ６）、ＤＶカメラ２からのタイムコードの取得を継続する。そして、停止コマンドが送信された結果、ＤＶカメラ２が停止したときに、停止の直前におけるタイムコードと、ＲＡＭ１８に記憶された再生終了位置タイムコード２９とを比較して、これらのタイムコードが一致しない場合に、ＤＶカメラ２から取得した最新のタイムコードが再生終了位置タイムコード２９と等しくなるまで、ＤＶテープ４３をその終端方向に送るようにＤＶカメラ２を制御する。すなわち、ＤＶテープ４３を再生終了位置までテープ送りする（Ｓ７）。
【００１９】
上記Ｓ７のテープ送り処理が終了すると、ＨＤＤレコーダ１側のマイクロプロセッサ１０は、ＤＶカメラ２に再生コマンドを送信して（Ｓ８）、ＤＶカメラ２からのレスポンスに基き再生コマンドの実行結果を判定する（Ｓ９）。また、上記Ｓ１における状態問合せの結果、ＤＶカメラ２が停止状態に移ったと検知されたときも（Ｓ４でＹＥＳ）、上記Ｓ８及びＳ９と同様な処理を行う。そして、上記Ｓ９の判定の結果、再生コマンドの実行が失敗したときは（Ｓ９でＹＥＳ）、ＨＤＤレコーダ１側のマイクロプロセッサ１０は、ＤＶテープ４３からのＤＶストリームのダビングが終了したと判断して、その旨のメッセージを表示部１１に表示する（Ｓ１０）。これに対して、再生コマンドの実行が成功したときは（Ｓ９でＮＯ）、ＤＶテープ４３の再生が中断されたと判断して、その旨のメッセージを表示部１１に表示する（Ｓ１１）。
【００２０】
上記のように、第１の実施形態によるＨＤＤレコーダ１によれば、ＤＶカメラ２が再生状態から巻戻し状態に移ったと検知されたときに、ＤＶテープ４３を再生終了位置まで戻した上で、ＤＶテープ４３の再生が中断されたか、ＤＶテープ４３からのＤＶストリームのダビングが終了したかを判定するようにした。これにより、ＤＶカメラ２が、ＤＶテープ４３の最後の位置まで再生すると、再生状態から停止状態に移行する種類のものである場合にも、ＤＶカメラ２が、ＤＶテープ４３の最後の位置まで再生すると、再生状態から巻戻し状態に移行する種類のものである場合にも、ＤＶカメラ２が再生状態から停止状態又は巻戻し状態に移行したときに、ＤＶテープ４３の再生が中断されたか、ＤＶテープ４３からのＤＶストリームのダビングが終了したかを正確に判断して、その判断結果をユーザに通知することができる。従って、ＤＶテープ４３からのＤＶストリームのダビング漏れを確実に防ぐことができる。
【００２１】
次に、図３のフローチャートを参照して、第２の実施形態によるＨＤＤレコーダ１について説明する。図３のフローチャートは、ＤＶカメラ２にセットされたＤＶテープ４３からのＤＶストリームのダビング時に、第２の実施形態によるＨＤＤレコーダ１側で行われる、ＤＶテープ４３の再生が中断されたか否かの判定処理を示す。ＤＶテープ４３からハードディスク１５へのＤＶストリームのダビングが開始されると、ＨＤＤレコーダ１側のマイクロプロセッサ１０は、ＤＶカメラ２より送信されたＤＶストリームからタイムコードを取得すると共に、ＤＶカメラ２に対して状態問合せ用のコマンドを送信して（Ｓ２１）、ＤＶカメラ２から送信されたレスポンスの内容に基きＤＶカメラの状態を検知する（Ｓ２２）。そして、ＤＶカメラ２が再生状態から他の状態に移ったと検知すると（Ｓ２２でＮＯ）、ＨＤＤレコーダ１側のマイクロプロセッサ１０は、再生状態から他の状態に移る直前のタイムコード（再生終了位置のタイムコード）を再生終了位置タイムコード２９としてＲＡＭ１８に記憶する（Ｓ２３）と共に、ＤＶカメラ２から送信されるＤＶストリームの録画処理を一時停止する（Ｓ２４）。
【００２２】
次に、上記Ｓ２１における状態問合せの結果、ＤＶカメラ２が巻戻し状態に移ったと検知されたときは（Ｓ２５でＮＯ、Ｓ２６でＹＥＳ）、ＨＤＤレコーダ１側のマイクロプロセッサ１０は、ＤＶカメラ２に停止コマンドを送信すると共に（Ｓ２７）、ＤＶカメラ２からのタイムコードの取得を継続する。そして、停止コマンドが送信された結果、ＤＶカメラ２が停止したときに、停止の直前におけるタイムコードと、ＲＡＭ１８に記憶された再生終了位置タイムコード２９とを比較して、これらのタイムコードが一致しない場合に、ＤＶカメラ２から取得した最新のタイムコードが再生終了位置タイムコード２９と等しくなるまで、ＤＶテープ４３をその終端方向に送るようにＤＶカメラ２を制御する。すなわち、ＤＶテープ４３を再生終了位置までテープ送りする（Ｓ２８）。
【００２３】
上記Ｓ２８のテープ送り処理が終了すると、ＨＤＤレコーダ１側のマイクロプロセッサ１０は、ＤＶカメラ２に再生コマンドを送信して（Ｓ２９）、ＤＶカメラ２からのレスポンスに基き再生コマンドの実行結果を判定する（Ｓ３０）。また、上記Ｓ２１における状態問合せの結果、ＤＶカメラ２が停止状態に移ったと検知されたときも（Ｓ２５でＹＥＳ）、上記Ｓ２９及びＳ３０と同様な処理を行う。そして、上記Ｓ３０の判定の結果、再生コマンドの実行が失敗したときは（Ｓ３０でＹＥＳ）、ＨＤＤレコーダ１側のマイクロプロセッサ１０は、ＤＶテープ４３からのＤＶストリームのダビングが終了したと判断して、その旨のメッセージを表示部１１に表示し（Ｓ３１）、録画処理を完全に停止する（Ｓ３２）。これに対して、再生コマンドの実行が成功したときは（Ｓ３０でＮＯ）、この再生コマンドによるＤＶカメラ２の再生処理を停止させるために、ＤＶカメラ２に停止コマンドを送信すると共に（Ｓ３３）、ＤＶテープ４３の再生が中断されたと判断して、ＤＶテープ４３からのＤＶストリームの録画処理を継続するか否かをユーザに確認するための録画継続確認画面５０（図５参照）を表示部１１に表示する（Ｓ３４）。そして、ＨＤＤレコーダ１側のマイクロプロセッサ１０は、ユーザが、録画処理の継続を指示するために、リモコン２０を用いて録画継続確認画面５０上におけるボタン５１を選択すると（Ｓ３５でＹＥＳ）、ＤＶカメラ２からのタイムコードの取得を継続しながら、取得した最新のタイムコードが再生終了位置タイムコード２９と等しくなるまで、ＤＶテープ４３をその始端方向に巻き戻すようにＤＶカメラ２を制御した後に（Ｓ３６）、ＤＶカメラ２に再生コマンドを送信する（Ｓ３７）。そして、上記Ｓ２４で行われた録画処理の一時停止を解除して（Ｓ３８）、ＤＶカメラ２から送信されるＤＶストリームの録画処理を再開する。
【００２４】
これに対して、ユーザが、リモコン２０を用いて録画継続確認画面５０上におけるボタン５２を選択すると（Ｓ３５でＮＯ）、ＨＤＤレコーダ１側のマイクロプロセッサ１０は、録画処理を完全に停止する（Ｓ３２）。
【００２５】
上記のように、第２の実施形態によるＨＤＤレコーダ１によれば、ＤＶテープ４３の再生が中断されたと判断されたときに、ＤＶテープ４３からのＤＶストリームの録画処理を継続するか否かをユーザに確認して、確認の結果、ユーザが録画処理を継続するように指示したときに、録画処理の一時停止を解除して、ＤＶテープ４３における中断位置以降の録画を継続するようにした。これにより、ＤＶテープ４３からのＤＶストリームのダビング漏れをより確実に防ぐことができる。
【００２６】
なお、本発明は、上記実施形態に限られるものではなく、様々な変形が可能である。例えば、上記の各実施形態では、本発明をＨＤＤレコーダに適用した場合の例について示したが、本発明の適用対象となるディジタル録画装置は、これに限られず、例えば、ＤＶＤ(Digital Versatile Disc)レコーダやディジタルＶＴＲ（Video Tape Recorder）等のディジタル録画装置であってもよい。また、上記の各実施形態では、ＤＶテープの再生が中断された場合だけではなく、ＤＶテープからのＤＶストリームのダビングが終了した場合にも、その旨のメッセージを表示するようにしたが、ＤＶテープの再生が中断された場合に限り、その旨のメッセージを表示するようにしてもよい。
【図面の簡単な説明】
【００２７】
【図１】本発明の第１の実施形態によるＨＤＤレコーダと、このＨＤＤレコーダに接続されたＤＶカメラの電気的ブロック構成図。
【図２】上記ＨＤＤレコーダにおける、ＤＶテープの再生が中断されたか否かの判定処理のフローチャート。
【図３】本発明の第２の実施形態によるＨＤＤレコーダにおける、ＤＶテープの再生が中断されたか否かの判定処理のフローチャート。
【図４】上記ＨＤＤレコーダにおける、ＤＶテープの再生が中断されたか否かの判定処理のフローチャート。
【図５】上記ＨＤＤレコーダの表示部に表示される録画継続確認画面を示す図。
【符号の説明】
【００２８】
１    ＨＤＤレコーダ
２    ＤＶカメラ
４    ＩＥＥＥ１３９４シリアルバス
１０  マイクロプロセッサ（タイムコード取得手段、ＤＶカメラ状態検知手段、判定手段、判断手段、通知手段、停止コマンド送信手段、タイムコード比較手段、テープ送り制御手段）
１３  インタフェース（ＤＶカメラ状態検知手段、停止コマンド送信手段）
１８  ＲＡＭ（再生終了位置タイムコード記憶手段）
２９  再生終了位置タイムコード
【図１】
2006173952.tif 000003
【図２】
2006173952.tif 000004
【図３】
2006173952.tif 000005
【図４】
2006173952.tif 000006
【図５】
2006173952.tif 000007